(57)【特許請求の範囲】
【請求項１】
畳台に固定された畳を裁断して畳に縁布および縁下紙を平刺縫いする畳縫着装置において、上記畳台に沿って走行する平刺ミシンおよび畳床カッターよりなる平刺機を備え、
上記平刺ミシンは、縁布および縁下紙をリールから縫着位置へ供給する供給手段と、供給された縁布および縁下紙を保持する縁布・縁下紙保持手段と、上記平刺ミシンを停止させて、上記畳床カッターのみを動作させて荒落しを行なう手段と、荒落し工程中に縁布・縁下紙保持手段を荒落しの妨げにならない位置に移動させる手段とを具備することを特徴とする畳縫着装置。
【請求項２】
該縁布・縁下紙保持手段を平刺縫いする位置に戻したときに生じる上記縁布・縁下紙の弛みを解消するために、上記縁布・縁下紙を引き戻す手段を具備することを特徴とする請求項１に記載の畳縫着装置。
【発明の詳細な説明】
【０００１】
【発明の属する技術分野】
この発明は、畳床の上前または下前を所定寸法に裁断して、畳床に縁布および縁下紙を縫い付ける畳縫着装置に関し、特に、下前側の「荒落し」工程中における縁布、縁下紙、縫着糸を「荒落し」工程の妨げとならない位置に待機する処理を自動化したものである。
【０００２】
【従来の技術】
畳の平刺機において、畳表を框部で縫い合わせた畳床に、縁布、縁下紙、縫糸を切断して処理する装置が、特公平１−３９７９５号公報に提案されている。
【０００３】
従来の畳縫着装置によって畳を製造する場合に、平刺工程においては、畳の幅方向の寸法を出すように畳床を裁断しながら縁布と縁下紙とを平刺縫いしているが、上前および下前の各１回の裁断量には、機械的制限があり、上前および下前の各１回の裁断で仕上げ寸法まで達することができない場合には、縁布と縁下紙との平刺縫いをせずに、畳床の幅方向の裁断のみを平刺機の畳床カッターによって行なっている。この畳床の幅方向（上前または下前）の裁断のみの処理を「荒落し」と呼んでいる。
【０００４】
従来の平刺機においては、「荒落し」工程中の畳床に縫着糸の端が干渉しないように処理する作業、縁布および縁下紙を縫着待機位置から遠ざける作業を人手によって行ない、平刺工程に戻る際には、縫着糸、縁布および縁下紙を人手によって待機位置に戻していた。
【０００５】
【発明が解決しようとする課題】
このように、「荒落し」を伴う幅の狭い畳を製造する場合には、縁布および縁下紙を縫着待機位置から遠ざけたり縫着待機位置に戻したりしなければならなかった。
【０００６】
そこで、この発明は、「荒落し」を伴う幅の狭い畳でも「荒落し」を伴わない幅の広い畳と同様に、縫着完了までの畳製造工程を人手を要することなく自動化するために考えられたものである。
【０００７】
【課題を解決するための手段】
この発明の畳縫着装置は、畳台５に固定された畳６を裁断して畳６に縁布７および縁下紙８を平刺縫いする畳縫着装置において、畳台５に沿って走行する平刺ミシン10および畳床カッター２よりなる平刺機１を備え、この平刺ミシン10は、縁布７および縁下紙８をリール17、18から縫着位置へ供給する供給手段と、供給された縁布７および縁下紙８を保持する縁布・縁下紙保持手段15と、平刺ミシン10を停止させて、畳床カッター２のみを動作させて荒落しを行なう手段と、荒落し工程中に縁布・縁下紙保持手段15を荒落しの妨げにならない位置に移動させる手段とを具備している。
【０００８】
また、この縁布・縁下紙保持手段15を平刺縫いする位置に戻したときに生じる縁布・縁下紙の弛み(ｔ)を解消するために、縁布７および縁下紙８を引き戻す手段13、14を設けることができる。
【０００９】
【発明の実施の形態】
この発明の畳縫着装置は、図１の平面図に示すように、予め畳表を框部で縫い合わせた畳６を固定する畳台５と、この畳台５に平行に設置されたレール51に沿って走行する平刺機１とにより構成されている。
【００１０】
平刺機１は、図２に示すように、縁布７および縁下紙８ととも畳６の上前または下前を縫着する直進針11を持つ平刺ミシン10と、畳６の上前または下前を裁断する畳カッター２と、縁布７を供給する縁布供給リール17と、縁下紙８を供給する縁下紙供給リール18と、縁布７と縁下紙８とを挟んで一時的に保持する縁布・縁下紙クランプ15と、縁布７および縁下紙８を切断する縁布・縁下紙カッター16とを備えている。
【００１１】
平刺ミシン10および畳カッター２は、紙面と垂直方向に移動可能であり、平刺機１が走行しながら平刺縫いおよび裁断を行なう際には、平刺ミシン10は平刺し位置に、また、畳カッター２は畳６の裁断位置に移動する。
【００１２】
そして、畳６の下前側のクセ取りを行なう際には、平刺ミシン10および畳カッター２を紙面と垂直方向に移動させて、クセ取りをしながら平刺縫いおよび裁断を行なう。
【００１３】
横方向に並べて配置された縁布７および縁下紙８を保持する縁布・縁下紙クランプ15および縁布７および縁下紙８を切断する縁布・縁下紙カッター16は、特公平１−３９７９５号公報に開示された構成を備えており、縁布・縁下紙クランプ15は、先端に設けられた鋏状に開閉する２つの挟持片の間に縁布７と縁下紙８とを重ねて挟んで挟持し、縁布・縁下紙カッター16は、重ね合わせた縁布７および縁下紙８を切断する。２つの挟持片よりなる縁布・縁下紙クランプ15の開閉はピストン19によって行なわれる。
【００１４】
上前側を平刺縫着後、畳を１８０゜旋回して下前側の平刺縫いに移る際に、１度の裁断で下前側を仕上げ寸法まで裁断できない場合には、畳カッター２のみを動作させて「荒落し」を行なう必要がある。
【００１５】
この「荒落し」工程中には、図３(ａ)に仮想線で示すように、縁布７と縁下紙８とを重ねて挟持した縁布・縁下紙クランプ15および縁布・縁下紙カッター16を上昇させて「荒落し」を妨げない位置に待機させるように構成されている。
【００１６】
縁布７および縁下紙８を縁布供給リール17および縁下紙供給リール18から縁布・縁下紙クランプ15および縁布・縁下紙カッター16へ供給する経路の途中に、エアシリンダ13によって回動させられるテンション棒部材またはテンション・ローラ14を備えている。
【００１７】
「荒落し」工程が終了して、下前側の平刺縫着に移る際に、図３(ａ)に示すように、縁布・縁下紙クランプ15および縁布・縁下紙カッター16を仮想線で示す位置から実線で示す位置まで降下させると、ミシン10の縫着作業位置において、縁布７および縁下紙８に弛み(ｔ)を生じるので、図３(ｂ)に示すように、エアシリンダ13を作動させてテンション棒部材またはテンション・ローラ14を回動させて、縁布７および縁下紙８を引き戻して弛み(ｔ)を解消させる。
【００１８】
そして、下前側を所定寸法に畳カッター２で裁断しながら平刺ミシン10により平刺縫いを行なわせる。
【００１９】
一方、平刺ミシン10により環縫いで縫着する場合には、縫い始めるときに、縫着糸９の端を固定しておかなければ、縫着糸９が緩んで縫着できないので縫着糸９の端を仮止めする縫着糸保持装置３を備えている。なお、本縫いによって縫着する場合には、縫着糸９の端を固定する必要はない。
【００２０】
縫着糸保持装置３は、図２および図４に示すように、縫着糸９を保持する縫着糸保持部33をピストンの先端に取り付けた第１エアシリンダ31と、この第１エアシリンダ31を紙面と垂直方向に回動させる第２エアシリンダ32とにより構成されている。
【００２１】
この縫着糸保持装置３による縫着糸９の保持および切断の動作は、図４に示すように、
(1) 平刺縫いが終了したとき、縁布７および縁下紙８とともに縫着糸９は糸リールから畳６の端部に連なっており、縫着糸９は、縁布７および縁下紙８と一緒に縁布・縁下紙クランプ15で保持される。
【００２２】
(2) 縁布・縁下紙カッター16を開き、
(3) 第１エアシリンダ31を作動させてピストンを突出させて、縫着糸保持部33を縫着糸９の側方に移動させ、
(4) 第２エアシリンダ32を作動させることにより第１エアシリンダ31を回動させて、縫着糸保持部33で縫着糸９を掴ませる。
【００２３】
(5) 第１エアシリンダ31を不作動にして、縫着糸保持部33によって縫着糸９を掴んだ状態でピストンを後退させ、
(6) 縁布・縁下紙カッター16を閉じて縫着糸９を縁布・縁下紙クランプ15と縫着糸保持部33との間で切断する。
【００２４】
以上の一連の工程により、平刺ミシン10が休止中における縫着糸９の端の処理を行なうものである。
【００２５】
次に、この発明の畳縫着装置により、畳６の上前側の縫着から、畳６の下前側の「荒落し」を行なって、縁布７および縁下紙８を縫い付けて、畳が完成するまでの工程を説明する。
【００２６】
畳の上前側の縫着工程は、框縫いが済んだ畳６を畳台５に載せて固定した後、平刺機１を動作させると、平刺機１がレール51に沿って走行し、畳６の上前側を直線状に縁布７と縁下紙８とを平刺縫いし、同時に畳カッター２によって畳６の上前を直線状に裁断する。
【００２７】
平刺縫いが終了すると、畳６の端部に連なっている縫着糸９、縁布７および縁下紙８を縁布・縁下紙クランプ15を閉じて挟持させた後、縁布・縁下紙カッター16によって切断する。
【００２８】
次に、畳の下前側の裁断および縫着工程について説明する。
【００２９】
上前側を平刺縫いした畳６を畳台５に載せて固定する。このとき、畳を１８０度旋回させて下前側を平刺機側に向けて固定する。
【００３０】
下前側の裁断量が少ない幅の広い畳を加工する場合には、１回の裁断で済むので上前側の平刺縫いと同じ工程を経て加工する。
【００３１】
下前側の裁断量が多い幅の狭い畳を加工する場合には、図３に仮想線で示すように、縫着糸９、縁布７および縁下紙８を挟んだ縁布・縁下紙クランプ15および縁布・縁下紙カッター16を上昇させる。そして、縁布・縁下紙クランプ15で保持された縫着糸９は、縫着糸保持部33で保持したのち縁布・縁下紙カッター16によって切断され、平刺ミシン10を動作させないで、畳カッター２のみを動作させて畳６の下前を裁断する「荒落し」を行なわせる。この「荒落し」工程は、裁断量が多い場合には、複数回行なわせる。
【００３２】
「荒落し」工程が終了すると、縁布７および縁下紙８を挟んでいる縁布・縁下紙クランプ15および縁布・縁下紙カッター16を降下させる。このとき、エアシリンダ13によってテンション棒部材またはテンション・ローラ14を回動させ、縁布７および縁下紙８を引き戻して、弛み(ｔ)を解消させたのち、下前側を所定寸法に裁断して平刺ミシン10により平刺縫いを行なわせる。
【００３３】
このようにして、下前側の平刺縫いが完了すると、畳６の端部に連なっている縫着糸９、縁布７および縁下紙８を縁布・縁下紙クランプ15を閉じて挟持させた後、縁布・縁下紙カッター16によって切断する。
【００３４】
（その他の実施の形態）
以上の実施の形態で説明した縫着糸保持装置は、２つのエアシリンダ31、32の直進運動によって縫着糸保持部33を駆動していたが、図５に示すように、構成することができる。すなわち、縫着糸９を引っ掛ける棒部材34を有する回動アーム37を設け、この回動アーム37を第３エアシリンダ35によって、仮想線で示す位置から実線で示すストッパー38の位置まで回動させ、第４エアシリンダ36により回動アーム37を回動軸方向に移動させるように構成し、さらに、ストッパー38に刃先39を形成しておく。
【００３５】
平刺縫いが終了したときに、第３エアシリンダ35で回動アーム37を回動させ、畳の端部に連なった点線で示す縫着糸９を棒部材34で引っ掛けて実線で示すようにストッパー38に導いて保持させることができる。この縫着糸９の保持のときに、ストッパー38に形成された刃先39によって縫着糸９を切断すればよいのである。なお、符号40は、ミシンの直進針11が通る穴を有する針受台である。
【００３６】
また、以上の実施の形態で説明した縫着糸保持装置においては、平刺機１に縁布供給リール17および縁下紙供給リール18を設置して、平刺機１とともに移動させているが、平刺機１には縁布７と縁下紙８とを挟んで保持する縁布・縁下紙クランプ15を備えているので、縁布供給リール17および縁下紙供給リール18を畳台５の端部に固定してもよいのである。
【００３７】
【発明の効果】
以上の実施の形態に基づく説明から明らかなように、この発明の畳縫着装置によると、「荒落し」を伴う幅の狭い畳でも「荒落し」を伴わない幅の広い畳と同様に、裁断および平刺縫い完了までの畳製造工程を人手を省いて自動化することができる。
【図面の簡単な説明】
【図１】この発明の畳縫着装置の実施の形態を示す平面図、
【図２】この発明の畳縫着装置における平刺機の正面図、
【図３】図１に示す平刺機の要部を示す正面図、
【図４】縫着糸保持装置により縫着糸の端を処理する状態を工程順に示す側面図(ａ)、正面図(ｂ)、平面図(ｃ)、
【図５】縫着糸保持装置の他の実施の形態を示す斜視図である。
【符号の説明】
１  平刺機
２  畳カッター
３  縫着糸保持装置
５  畳台
６  畳
７  縁布
８  縁下紙
９  縫着糸
10  平刺ミシン
11  直進針
13  エアシリンダ
14  テンション・ローラ
15  縁布・縁下紙クランプ
16  縁布・縁下紙カッター
17  縁布供給リール
18  縁下紙供給リール
33  縫着糸保持部
51  レール
【図１】
0003646910.tif 000002
【図２】
0003646910.tif 000003
【図３】
0003646910.tif 000004
【図４】
0003646910.tif 000005
【図５】
0003646910.tif 000006